(57)【要約】【課題】本発明は、陣痛緩和を満たし、使用時の握力及び手首の疲労を軽減し長時間押し続けられる陣痛緩和具を提供する。【解決手段】曲率半径が大小異なる上下凸面中央部分をそれぞれ押圧部とする鶏卵形の押圧体と、円筒状で、その少なくとも一方の端面に前記２つの押圧部が上下何れの向きでも前記押圧体がその横断面の最大径位置まで嵌入して保持される押圧体保持凹部が形成されている手持保持体とからなる陣痛緩和具。【選択図】図２
2010214061.tif 000002
【特許請求の範囲】
【請求項１】
曲率半径が大小異なる上下凸面中央部分をそれぞれ押圧部とする鶏卵形の押圧体と、円筒状で、その少なくとも一方の端面に前記２つの押圧部が上下何れの向きでも前記押圧体がその横断面の最大径位置まで嵌入して保持される押圧体保持凹部が形成されている手持保持体とからなる陣痛緩和具。
【請求項２】
手持保持体は、両方の端面にそれぞれサイズの異なる押圧体に適合する押圧体保持凹部が形成されていることを特徴とする請求項１記載の陣痛緩和具。
【請求項３】
手持保持体の中心部に貫通孔が形成されている事を特徴とする請求項１又は２記載の陣痛緩和具。
【発明の詳細な説明】
【技術分野】
【０００１】本発明は出産の陣痛を緩和する事を図った携帯用具に関する。
【背景技術】
【０００２】陣痛とは、非特許文献１に記述する子宮が収縮しているとき子宮の筋肉が縮んでいてそれを痛みとして感じている。また、赤ちゃんが産道を下がっていくときに周辺の骨や筋肉、臓器などを圧迫する痛み、会陰の皮膚が薄く伸ばされる痛み等が同時に起こり下腹部全体が痛いように感じる。【０００３】従来出産時の陣痛は非特許文献２には、緩和として、会陰部に力一杯圧力をかけると痛みが緩和するためげんこつや野球ボールまたはテニスボールやゴルフボールが使用されている。（８図参照）
【非特許文献１】
【０００４】「はじめての妊娠・出産育児」赤十字第二産科部長  竹中正人著  ナツメ社  出産１８５ページ２４８の２行から１０行。
【非特許文献２】
【０００５】「安全大百科」出産方法選びから新生児まで  たまごクラブ特別編集。株式会社ベネッセコーポレィション（平成１９年９月３０日発刊）陣痛を乗り切るコツをつかもう。６７ページポイント５  １９行から３１行。
【発明の概要】
【発明が解決しようとする課題】
【０００６】しかし従来の、げんこつや野球またはテニスボールなどで会陰部に力一杯、圧力をかけると痛みが緩和するには圧力不足及び圧位置及び押圧範囲の不安定が生じる。【０００７】また使用時に於いてもテニスボールを手に掴んで長時間押し当てる事による握力と手首の疲労で使用時に負担があり押し続ける事が出来ない。【０００８】また、一人で野球またはテニスボールで会陰部を圧迫する場合ボールの上に会陰部をのせて圧迫するが球体により安定した圧迫がしづらい。【０００９】本発明はこのような従来の構成が有していた問題を解決をしようとするものであり陣痛緩和を満たし、使用時の握力及び手首の疲労を軽減し長時間押し続けられる事また、一人で会陰部を圧迫する事を目的としたものである。
【課題を解決するための手段】
【００１０】曲率半径が大小異なる上下凸面中央部分をそれぞれ押圧部とする鶏卵形の押圧体と、円筒状で、その少なくとも一方の端面に前記２つの押圧部が上下何れの向きでも前記押圧体がその横断面の最大径位置まで嵌入して保持される押圧体保持凹部が形成されている手持保持体とからなるものである。【００１１】また、手持保持体は、両方の端面にそれぞれサイズの異なる押圧体に適合する押圧体保持凹部を形成することにより押圧範囲の選定ができる。
【発明の効果】
【００１２】上述したように本発明の陣痛緩和具は、曲率半径が大小異なる上下凸面中央部分をそれぞれ押圧部とする鶏卵形の押圧体がその横断面の最大径位置まで嵌入して保持される押圧体保持凹部が形成されている手持保持体とからなるものであり陣痛緩和に適合する押圧部の選定を可能とし金属、木製、硬質ゴム、樹脂及び古紙混合樹脂成型等で作成することで硬質で安定した押し方が出来るのでより一層の効果が得られる。【００１３】また使用時の握力及び手首の疲労軽減のための円筒形手持保持体を要し球体を取り付け使用する事により、球体と指の空間がなくなり指の負担が軽減でき握力を増すことになる。指が疲れ握力を緩めたりしても手のひらで押し続ける事が可能となり継続して作業ができる。【００１４】また、硬質な鶏卵形状にした押圧体と手持保持体を分離させて野球及びテニスボールや他の球体も手持保持体に設置使用できる。
【図面の簡単な説明】
【００１５】
【図１】本発明の陣痛緩和具の斜視図である。
【図２】本発明の陣痛緩和具の側面断面図である。
【図３】本発明の陣痛緩和具の押圧部上部４ａ使用設置の側面断面図である。
【図４】本発明の陣痛緩和具の押圧部の最大径部Ｄと図３のＡ−Ａの押圧体断面図である。
【図５】本発明の陣痛緩和具の手持部上下両面設置式の側面断面図である。
【図６】本発明の陣痛緩和具の手持部上下両面設置式の押圧部設置時の側面断面図である。
【図７】本発明の陣痛緩和具の使用の図である。
【図８】従来の野球、テニスボール等の使用の図である。
【発明を実施するための形態】
【００１６】以下、本発明の実施の形態を図１〜図８に基ずいて説明する。
【実施例】
【００１７】以下に、実施例を挙げて本発明を具体的に説明するが、本発明は、その要旨を超えない限りこれらの実施例に限定されるものではない。【００１８】図１に示す１の陣痛緩和具を用い、図７に示す体勢にて会陰部に力一杯圧力をかけると陣痛が緩和された。【００１９】図２の４ａ、４ｂに示す曲率半径が大小異なる上下凸面中央部分をそれぞれ押圧部とする鶏卵形押圧体３の押圧下部４ｂを図２に示す２の手持体の押圧体保持凹部６に嵌入して保持する、または図４に示す２の手持体の押圧体保持凹部６に押圧上部４ａを嵌入して保持することで、押圧範囲の大小が選定できた。【００２０】また図５に示す両方の端面にそれぞれサイズの異なる押圧体に適合する押圧体保持凹部８ａ，８ｂが形成されている７の手持体により図６（１）に示す鶏卵形押圧体３を凹部８ａに嵌入して保持する。また図６（２）示す小押圧体９を押圧体保持凹部８ｂに嵌入して保持することができ曲率半径が大小異なる上下凸面中央部分をそれぞれ押圧部とする鶏卵形押圧体３、小鶏卵形押圧体９により４種の押圧範囲の適合を選定できた。【００２１】従来、陣痛緩和として野球及びテニスボールやゴルフボールを使用しているが硬度による押圧力及び押圧範囲等において陣痛緩和効果に不足が生じている。本発明は金属、木製、硬質ゴム、樹脂及び古紙混合樹脂成型等で作成することで硬質で安定した押し方が出来るのでより一層の効果が得られた。【００２２】図８に示す陣痛緩和として野球及びテニスボールやゴルフボールを手に持って会陰部に力一杯押圧すると球を握る指と手首に負荷がかかり継続して押圧する事ができないが手持体２を使用することで指の握力が減少したときに手のひらで押圧できたので指を休ませることができた。【００２３】また図８（ｃ）が示す一人で押圧する場合球状の不安定と球具のサイズにより押圧力が減少し陣痛緩和効果が得られづらいので図２の３押圧体を図２の２手持体に設置することで安定した押圧が得られた。【００２４】図４に示す手持体２に鶏卵形押圧体３を嵌入して保持する時の空気ぬき孔、及び手持体２から鶏卵形押圧体３を取り外す時の押し出し孔として貫通孔５を形成されていることで取り付け、取り外しが容易であった。
【符号の説明】
【００２５】１    陣痛緩和具
２    手持体
３    押圧体
４ａ  押圧上部
４ｂ  押圧下部
５    貫通孔
６    押圧体保持凹部
７    上下両面式手持体
８ａ  上部押圧体保持凹部
８ｂ  下部押圧体保持凹部
９    下部設置用押圧体
【図１】
2010214061.tif 000003
【図２】
2010214061.tif 000004
【図３】
2010214061.tif 000005
【図４】
2010214061.tif 000006
【図５】
2010214061.tif 000007
【図６】
2010214061.tif 000008
【図７】
2010214061.tif 000009
【図８】
2010214061.tif 000010